(57)【要約】      （修正有）【課題】複数の板部材を組み付ける構成とした場合であっても、組付け性を良好に保ち、かつ組み付けに際して板部材を曲げる必要の無い、吊下げ型芳香剤担持体を提供する。【解決手段】吊下げ方向が定められ、芳香剤を担持させた複数の板部材１２（第１板部材１２ａ、第２板部材１２ｂ、第３板部材１２ｃ）により構成される芳香剤担持体１０であって、板部材１２にはそれぞれ、吊下げ方向に沿ってスリットが設けられ、各板部材１２をスリットの底部を当接させるように組み付け、組み付けられた板部材１２ａ〜１２ｃの板面間に近似した交差角度を持たせている。【選択図】図１
0003225621.tif 000002
【実用新案登録請求の範囲】
【請求項１】
吊下げ方向が定められ、芳香剤を担持させた複数の板部材により構成される芳香剤担持体であって、
前記板部材にはそれぞれ、吊下げ方向に沿ってスリットが設けられ、
各板部材を前記スリットの底部を当接させるように組み付けていることを特徴とする吊下げ型芳香剤担持体。
【請求項２】
複数の板部材に設ける前記スリットは、深さ、及び開口の向きのうちの少なくとも一方をそれぞれ異ならせ、
複数の板部材の組み付けによって生ずる交点を１つとしたことを特徴とする請求項１に記載の吊下げ型芳香剤担持体。
【請求項３】
組み付け時に最下部に位置する板部材のみに、吊下げ材を係止する通し孔を設けていることを特徴とする請求項１または２に記載の吊下げ型芳香剤担持体。
【請求項４】
前記通し孔は、前記交点を挟む位置に対を成すように設けられていることを特徴とする請求項２を含む請求項３に記載の吊下げ型芳香剤担持体。
【請求項５】
対を成す前記通し孔に通した前記吊下げ材は、前記通し孔を備え無い前記板部材の上端側を通過させると共に、
ひばり結びにより係止されていることを特徴とする請求項４に記載の吊下げ型芳香剤担持体。
【考案の詳細な説明】
【技術分野】
【０００１】
本考案は、芳香剤担持体に係り、特に、配置形態を吊下げ型とした芳香剤担持体に関する。
【背景技術】
【０００２】
吊下げ型の芳香剤担持体としては、例えば特許文献１に開示されているようなものが知られている。特許文献１に開示されている芳香剤担持体は、所望するキャラクターなどをかたどった板部材に芳香剤を担持させたもので、板部材の一部には、吊下げ用の紐などを通す貫通孔を設ける構成としている。
【０００３】
しかし、特許文献１に開示されている芳香剤担持体は、芳香剤の揮発面積が限られているため、強い香りを得る事が困難であった。そうした中、特許文献２に開示されている芳香剤担持体のように、板部材を用いた芳香剤担持体であっても、揮発面積を確保することとのできるものが提案されるようになってきた。
【０００４】
特許文献２に開示されている芳香剤担持体は、板面が平行となるように配置した複数の並列板部材（いずれも芳香剤を担持させた板部材）と、この複数の板部材に交差するように係合する交差板部材とによって構成されるものである。複数の板部材により立体形状を構成すると共に、複数の並列板部材と交差板部材との交差方向を一致させていることより、並列板部材は、交差板部材を基板として一定方向に傾倒させることで、折り畳むことが可能となる。
【先行技術文献】
【特許文献】
【０００５】
【特許文献１】実用新案登録第３０６０２８０号公報
【特許文献２】実用新案登録第３０８６２０５号公報
【考案の概要】
【考案が解決しようとする課題】
【０００６】
上記特許文献２に開示されている芳香剤担持体によれば、複数の板部材を組み合わせて構成することにより、従来の芳香剤担持体に比べて表面積を多く確保することができる。よって、芳香成分の揮散量が増え、強い香りを得る事が可能となる。
【０００７】
しかし、特許文献２に開示されている芳香剤担持体は、交差板部材に対して複数の並列板部材を組み付ける構成とし、組み付けに際しては、交差板部材と並列板部材のいずれか一方を一時的に折り曲げる必要がある。このため、組み付けに時間がかかると共に、板部材に折り跡などが生じると、外観上の見た目も悪くなるといった問題があった。
【０００８】
そこで本考案では、複数の板部材を組み付ける構成とした場合であっても、組付け性を良好に保ち、かつ組み付けに際して板部材を曲げる必要の無い、吊下げ型芳香剤担持体を提供することを目的とする。
【課題を解決するための手段】
【０００９】
上記目的を達成するための本考案に係る吊下げ型芳香剤担持体は、吊下げ方向が定められ、芳香剤を担持させた複数の板部材により構成される芳香剤担持体であって、前記板部材にはそれぞれ、吊下げ方向に沿ってスリットが設けられ、各板部材を前記スリットの底部を当接させるように組み付けていることを特徴とする。
【００１０】
また、上記のような特徴を有する吊下げ型芳香剤担持体では、複数の板部材に設ける前記スリットは、深さ、及び開口の向きのうちの少なくとも一方をそれぞれ異ならせ、複数の板部材の組み付けによって生ずる交点を１つとすると良い。このような特徴を有することによれば、複数の板部材を用いつつ、吊下げ型芳香剤担持体をコンパクトなものとすることができる。
【００１１】
また、上記のような特徴を有する吊下げ型芳香剤担持体では、組み付け時に最下部に位置する板部材のみに、吊下げ材を係止する通し孔を設けるようにすることが望ましい。このような特徴を有する事によれば、全ての板材に吊下げ材を通す場合に比べ、吊下げ材の設置が簡易なものとなる。また、どこに吊下げ材を通せば良いか明確となる。
【００１２】
また、上記のような特徴を有する吊下げ型芳香剤担持体において前記通し孔は、前記交点を挟む位置に対を成すように設けると良い。このような特徴を有する事によれば、吊下げ型芳香剤担持体を吊下げた際、吊下げ状態を安定させることができる。
【００１３】
さらに、上記のような特徴を有する吊下げ型芳香剤担持体では、対を成す前記通し孔に通した前記吊下げ材は、前記通し孔を備え無い前記板部材の上端側を通過させると共に、ひばり結びにより係止することが望ましい。このような特徴を有することによれば、吊下げ時における引き締めと、折り畳み時における緩みとが自然に生ずることとなる。このため、折り畳み状態から吊下げ状態に至る場合には、使用者が板部材に触れる事なく、複数の板部材における板面間の拡開角度を近似させることができる。
【考案の効果】
【００１４】
上記のような特徴を有する吊下げ型芳香剤担持体によれば、複数の板部材を組み付ける構成とした場合であっても、組付け性を良好に保ち、かつ組み付けに際して板部材を曲げる必要が無い。
【図面の簡単な説明】
【００１５】
【図１】第１実施形態に係る吊下げ型芳香剤担持体の構成を示す斜視図である。
【図２】第１実施形態に係る吊下げ型芳香剤担持体を構成する板部材を平置きにした状態を示す分解図である。
【図３】板部材の組み付け順序を説明するための斜視図である。
【図４】第１実施形態に係る吊下げ型芳香剤担持体の構成を示す平面図である。
【図５】吊下げ材の例を示す図である。
【図６】板部材に対する吊下げ材の係止形態を説明するための部分拡大斜視図である。
【図７】吊下げ型芳香剤担持体の吊下げ形態と、折り畳み形態を説明するための平面図である。
【図８】第２実施形態に係る吊下げ型芳香剤担持体の構成を示す斜視図である。
【図９】第２実施形態に係る吊下げ型芳香剤担持体の構成を示す平面図である。
【図１０】第２実施形態に係る吊下げ型芳香剤担持体を構成する板部材を平置きにした状態を示す分解図である。
【図１１】考案に係る吊下げ型芳香剤担持体を構成するための板部材の外形形状の変形例の一部を示す図である。
【考案を実施するための形態】
【００１６】
以下、本考案の吊下げ型芳香剤担持体に係る実施の形態について、図面を参照して詳細に説明する。なお、以下に示す実施の形態は、本考案を実施する上での好適な形態の一部であり、その構成の一部に変更を加えた場合であっても、本考案の効果を奏する限りにおいて、本考案の一部とみなすことができる。
【００１７】
［第１実施形態］
まず、図１から図６を参照して、第１実施形態に係る吊下げ型芳香剤担持体１０について説明する。なお、図面において、図１は、第１実施形態に係る吊下げ型芳香剤担持体の構成を示す斜視図であり、図２は、第１実施形態に係る吊下げ型芳香剤担持体を構成する板部材を平置きにした状態を示す分解図である。図３は、板部材の組み付け順序を説明するための斜視図である。図４は、第１実施形態に係る吊下げ型芳香剤担持体の構成を示す平面図である。図５は、吊下げ材の例を示す図である。図６は、板部材に対する吊下げ材の係止形態を説明するための斜視図である。
【００１８】
本実施形態に係る吊下げ型芳香剤担持体１０は、３枚の板部材１２（第１板部材１２ａ、第２板部材１２ｂ、第３板部材１２ｃ）を組み合わせる事により構成されている。具体的には、図２に示すように、外形形状を共通化し、各板部材１２（第１板部材１２ａ、第２板部材１２ｂ、第３板部材１２ｃ）に設けるスリット１４（スリット１４ａ、スリット１４ｂ、スリット１４ｃ）の位置や形状を異ならせた板部材１２を組み合わせる構成としている。板部材１２の材質は、具体的に限定するものでは無いが、芳香剤（芳香成分）を含浸（担持）することのできるものとする。例えば、紙や木、あるいはこれらを材質の一部に含む複合材や、焼結材であれば良い。
【００１９】
本実施形態の場合吊下げ型芳香剤担持体１０は、第１板部材１２ａと、第２板部材１２ｂ、第３板部材１２ｃを主体として構成されており、平面視において図４に示すように、第１板部材１２ａと第２板部材１２ｂ、及び第３板部材１２ｃの交点が１点となるように、３つの板部材１２が組み付けられている。具体的には、図３に示すように、第１板部材１２ａの上部に第２板部材１２ｂが配置され、第２板部材１２ｂの上部に第３板部材１２ｃを配置する構成が採られている。
【００２０】
このような構成を実現するために、第１板部材１２ａには、板面の上端に開口部を持つように、吊下げ方向に沿って第１板部材１２ａにおける長手方向長さの２／３程度の深さまでスリット１４ａを形成している。第２板部材１２ｂには、板面の上端と下端それぞれに開口部を持つ２つのスリット１４ｂを形成している。第２板部材１２ｂに形成するスリット１４ｂの深さは、それぞれ第２板部材１２ｂの長手方向長さの１／３程度とし、吊下げ方向に沿った直線上に２つのスリット１４ｂが位置する構成とされている。第３板部材１２ｃには、板面の下端に開口部を持つように、吊下げ方向に沿って第３板部材１２ｃにおける長手方向長さの２／３程度の深さまでスリット１４ｃを形成している。
【００２１】
各板部材１２（１２ａ〜１２ｃ）に上記のような構造のスリット１４（１４ａ〜１４ｃ）を設けることで、組み付けた３つの板部材１２（第１板部材１２ａ、第２板部材１２ｂ、第３板部材１２ｃ）の上端位置と下端位置が一致し、板部材１２の外径形状に倣った立体形状（組板構造）を構成することとなる。これにより、板状の部材により構成されていながら、立体物として視覚に捉えられ、吊下げ型の芳香剤担持体として注目を集める視覚効果を期待することができる。
【００２２】
本実施形態に係る吊下げ型芳香剤担持体１０では、第１板部材１２ａにのみ、吊り下げ用の紐など（吊下げ材１８）を挿通させるための通し孔としての貫通孔１６が形成されている。第２板部材１２ｂと第３板部材１２ｃはいずれも、吊下げ状態において第１板部材１２ａの上側に位置するように組み付けられる。このため、最下部に配置される第１板部材１２ａを吊り上げることができれば、第２板部材１２ｂと第３板部材１２ｃも吊り上げることができ、組付け状態を維持することができる。
【００２３】
ここで、第１板部材１２ａに設けられている貫通孔１６は、スリット１４ａを挟み込む位置に、対を成すように配置されている。貫通孔１６を、スリット１４ａを基点として対を成すように設けることで、吊下げ材１８により第１板部材１２ａ（第１板部材１２ａに組み付けられた第２板部材１２ｂ、第３板部材１２ｃを含む）を吊り上げた際、吊下状態に傾きが生ずることを防ぐことができる。
【００２４】
吊下げ型芳香剤担持体１０を吊下げるための紐等の吊下げ材１８は、図５に示すように輪状となるように構成した上で、第１板部材１２ａから第３板部材１２ｃまでを組み付けた後、第１板部材１２ａに設けた２つの貫通孔１６を通すように配置される。このため、各貫通孔１６には、それぞれ２本の紐が挿通されることとなる。なお、貫通孔１６を備えない第２板部材１２ｂと第３板部材１２ｃについて吊下げ材１８は、それぞれ上端部を跨ぐようにして配置される。吊下げ材１８の係止形態は、限定的なものでは無いが、例えば輪状となっている一方の端部に他方の端部を通して止める、いわゆるひばり結びによれば良い（図６参照）。
【００２５】
［作用、効果］
上記のような構造の吊下げ型芳香剤担持体１０は、図７（Ａ）に示すような使用状態から、図７（Ｂ）に示すような状態に折り畳む事ができる。なお、実施形態に係る吊下げ型芳香剤担持体１０の折り畳みに際しては、吊下げ材１８（図７には不図示）を取り付けた状態で行うことができる。
【００２６】
折り畳みは、図７に示す例では、第３板部材１２ｃとの交点を基点として、第２板部材１２ｂと、第１板部材１２ａをそれぞれ矢印Ａで示す方向に回転させることで成される。ここで、第１板部材１２ａから第３板部材１２ｃがそれぞれ紙や樹脂など、可撓性を有する部材で構成されている場合には、部材の撓みを利用して、よりコンパクトに折り畳む事が可能となる。
【００２７】
この際、第１板部材１２ａと第２板部材１２ｂ、及び第３板部材１２ｃにそれぞれ設けたスリット１４ａ〜１４ｃの位置と深さが撓み加減を調整することとなる。すなわち、上端側では図７（Ｂ）に示すように、第３板部材１２ｃを基点として、第２板部材１２ｂが若干の撓みを持つことが可能となる。そして、スリット１４ａの深さが第２板部材１２ｂのスリット１４ｂよりも深い第１板部材１２ａは、第２板部材１２ｂよりも大きな撓みを持つことが可能となる。
【００２８】
なお、図示しないが下端側では、上端部側と反対に、第１板部材１２ａを基点として、第２板部材１２ｂが若干の撓みを持つこととなる。そして、下端側に開口を持つスリット１４ｃの深さが第２板部材１２ｂよりも深い第３板部材１２ｃは、第２板部材１２ｂよりも大きな撓みを持つこととなる。このように、本実施形態に係る吊下げ型芳香剤担持体１０は、複数の板部材１２を組み付けた状態のまま折り畳む事ができる。折り畳み前の厚みをＤ、折り畳み時の厚みをｄとした場合、ｄはＤよりも十分に小さい（図７に示す例では１／３程度）ため、販売時や、保管時における形態をコンパクトなものとすることができる。
【００２９】
また、上記のような構成の吊下げ型芳香剤担持体１０では、吊下げ材１８を輪状にした紐として、ひばり結びにより括り付け（係止）をしている。このような係止形態を採用したことにより、係止部分の緩みと引き締めが自然に生じるようになる。このため、折り畳み時には、係止部分が緩み、吊り下げ時には、自重による引っ張り作用で引き締まることとなる。また、このように、吊り下げ時に係止部分に引き締め効果が生ずることにより、実施形態に係る吊下げ型芳香剤担持体１０では、第１板部材１２ａから第３板部材１２ｃ板面間の交差角度（拡開角度）が近似したものとなり、バランスの良い立体形状を得ることができる。よって、販売時、あるいは保管時における折り畳み形態から、拡開された使用形態までの間に、使用者は板部材１２（第１板部材１２ａから第３板部材１２ｃ）に触れる必要が無く、手に芳香成分が付着する事を防ぐことができる。
【００３０】
また、上記のような構成の吊下げ型芳香剤担持体１０では、芳香剤を担持させた板部材１２を複数組み付ける事で、香りを揮発させる面積を増やすことができる。よって、単位時間あたりの香り成分の揮発量を増やし、強い香りを放つことが可能となる。
【００３１】
また、複数の板部材１２を組み付ける構成とした場合であっても、組付け方向を吊下げ方向と一致させた一方向のみとしつつ、吊下げ状態においても組み付け状態を維持することができる。よって組み付け性が良い。また、実施形態に係る吊下げ型芳香剤担持体１０の組み付けは、スリット１４同士を対向させて組み合わせるだけの構成であるため、組み付けに際して板部材１２を曲げる必要が無く、折り跡等が生じる恐れが無い。さらに、組付けにあたり、折り曲げ等の行為が無いため、板部材１２を構成する材質の自由度を高めることもできる。すなわち、撓みや屈曲を生じさせない部材であっても採用することができる。
【００３２】
［第２実施形態］
次に、図８から図１０を参照して、本発明の吊下げ型芳香剤担持体に係る第２実施形態について説明する。なお、図面において図８は、第２実施形態に係る吊下げ型芳香剤担持体の構成を示す斜視図であり、図９は、同平面図である。また、図１０は、第２実施形態に係る吊下げ型芳香剤担持体を構成する板部材を平置きにした状態を示す分解図である。
【００３３】
本実施形態に係る吊下げ型芳香剤担持体１０Ａの殆どの構成は、上述した第１実施形態に係る吊下げ型芳香剤担持体１０と同様である。相違点としては、立体形状を構成するための板部材１２の数が異なる事である。
【００３４】
具体的には、上述した第１実施形態に係る吊下げ型芳香剤担持体１０は、板部材１２を３枚としていたのに対し、本実施形態に係る吊下げ型芳香剤担持体１０Ａは、５枚の板部材１２を組み合わせる構成としている。
【００３５】
板部材１２の数を増やすにあたり、各板部材（第１板部材１２ａから第５板部材１２ｅ）に設けるスリット１４の位置や形態を異ならせている。本実施形態に係る吊下げ型芳香剤担持体１０Ａは、第１実施形態に係る吊下げ型芳香剤担持体１０と同様に、各板部材１２の交点が平面視で１点となるように組み付ける構成としている（図９参照）。このため、図１０に示すように、第１板部材１２ａは、上端から下端方向へ向けて、長手方向長さの約４／５にあたる深さのスリット１４ａを設けるようにしている。第２板部材１２ｂは、上端側から下端方向へ向けて長手方向長さの約３／５にあたる深さのスリット１４ｂ１と、下端側から上端方向へ向けて長手方向長さの約１／５にあたる深さのスリット１４ｂ２を設けるようにしている。また、第３板部材１２ｃは、上端側と下端側のそれぞれから長手方向長さの２／５にあたる深さのスリット１４ｃを設けている。第４板部材１２ｄは、上端側から下端側へ向けて長手方向長さの約１／５にあたる深さのスリット１４ｄ１を設けると共に、下端側から上端側へ向けて長手方向長さの約３／５にあたる深さのスリット１４ｄ２を設けるようにしている。さらに、第５板部材１２ｅには、下端側から上端側へ向けて長手方向長さの約４／５にあたる深さのスリット１４ｅを設けるようにしている。
【００３６】
また、本実施形態では、各板部材１２に設けるスリット１４の幅を、第１実施形態に係る吊下げ型芳香剤担持体１０を構成する板部材１２に設けたスリット１４の幅よりも広くなるように構成している。交点で交わる板部材１２の数が増えるため、スリット１４の幅を広げることで、折り畳み特性の向上を図ることができるからである。なお、吊下げ材１８を通すための貫通孔１６は、第１実施形態に係る吊下げ型芳香剤担持体１０と同様に、第１板部材１２ａのみに設ける構成としている。このような構成の吊下げ型芳香剤担持体１０Ａによれば、第１実施形態に係る吊下げ型芳香剤担持体１０よりもさらに広い芳香成分揮発面積を確保することができる。
【００３７】
その他の構成、作用、効果は、第１実施形態に係る吊下げ型芳香剤担持体１０と同様である。
【産業上の利用可能性】
【００３８】
上記実施形態では、吊下げ型芳香剤担持体１０，１０Ａを構成するための板部材１２は、その数を３枚と５枚としていた。しかしながら、板部材１２の数は、少なくとも２枚あれば良い。このような構成とすれば、従来よりも広い芳香成分揮発面積を得ることができるためである。
【００３９】
また、各板部材１２の外径形状も限定するものではなく、例えば図１１（Ａ）〜（Ｃ）に示すように、様々な形態とすることができる。なお、図からも明らかなように、図１１（Ａ）では円、（Ｂ）では矩形、（Ｃ）では台形をそれぞれ表している。
【００４０】
さらに、上記実施形態ではいずれも、複数の板部材１２の外形を一致させるように記載している。しかしながら、複数の板部材１２を組み付ける事ができる構造であれば、その外形形状は、必ずしも一致させる必要は無い。
【００４１】
また、板部材１２の数をさらに増やす場合には、スリット１４の形態を板部材１２の数と一致させ、板部材１２の接続箇所を長手方向の長さを板部材１２の数で除した値程度とし、その位置を段階的に変化させていくようにすれば良い。
【００４２】
また、上記実施形態では、平面視において、複数の板部材１２の交点を１つとする旨記載した。しかしながら、スリット１４の形成方向を吊下げ方向に沿う構成としていれば、必ずしも板部材１２の交点を１つする必要は無い。このような構成であっても、組み付け性や芳香成分揮発面積の確保等において、同様な効果を得ることができるからである。
【符号の説明】
【００４３】
１０，１０Ａ………吊下げ型芳香剤担持体、１２………板部材、１２ａ………第１板部材、１２ｂ………第２板部材、１２ｃ………第３板部材、１２ｄ………第４板部材、１２ｅ………第５板部材、１４（１４ａ，１４ｂ，１４ｂ１，１４ｂ２，１４ｃ，１４ｄ１，１４ｄ２，１４ｅ）………スリット、１６………貫通孔、１８………吊下げ材。
【図１】
0003225621.tif 000003
【図２】
0003225621.tif 000004
【図３】
0003225621.tif 000005
【図４】
0003225621.tif 000006
【図５】
0003225621.tif 000007
【図６】
0003225621.tif 000008
【図７】
0003225621.tif 000009
【図８】
0003225621.tif 000010
【図９】
0003225621.tif 000011
【図１０】
0003225621.tif 000012
【図１１】
0003225621.tif 000013
【手続補正書】
【提出日】令和2年1月14日(2020.1.14)
【手続補正１】
【補正対象書類名】実用新案登録請求の範囲
【補正対象項目名】全文
【補正方法】変更
【補正の内容】
【実用新案登録請求の範囲】
【請求項１】
吊下げ方向が定められ、芳香剤を担持させた複数の板部材により構成される芳香剤担持体であって、
前記板部材にはそれぞれ、吊下げ方向に沿ってスリットが設けられ、
各板部材を前記スリットの底部を当接させるように組み付けていることを特徴とする吊下げ型芳香剤担持体。
【請求項２】
複数の板部材に設ける前記スリットは、深さ、及び開口の向きのうちの少なくとも一方をそれぞれ異ならせ、
複数の板部材の組み付けて構成される前記芳香剤担持体を平面視した際に現れる交点を１つとしたことを特徴とする請求項１に記載の吊下げ型芳香剤担持体。
【請求項３】
組み付け時に最下部に位置する板部材のみに、吊下げ材を係止する通し孔を設けていることを特徴とする請求項１または２に記載の吊下げ型芳香剤担持体。
【請求項４】
前記通し孔は、前記交点を挟む位置に対を成すように設けられていることを特徴とする請求項２を含む請求項３に記載の吊下げ型芳香剤担持体。
【請求項５】
対を成す前記通し孔に通した前記吊下げ材は、前記通し孔を備え無い前記板部材の上端側を通過させると共に、
ひばり結びにより係止されていることを特徴とする請求項４に記載の吊下げ型芳香剤担持体。